(57)【要約】【課題】本発明は折畳可能な携帯式ハンガーを開示した。【解決手段】主ロッドを含み、前記主ロッドの上端にはロック装置が連結され、前記ロック装置の下側には前記主ロッドに連結される糸引き装置が設置され、前記主ロッドの下端には回転装置が連結され、前記回転装置の左右両側には挟み装置が対称的に連結され、本発明は構造が簡単で、操作が便利で、ハンガーを納める時、ピンチを固定してから、連結リングを縦に回して固定し、同時に糸を納めて乱れを防止し、本発明装置は伸びた後に数件もの衣類を干せ、収縮後に少量の衣類を干せ、占用スペースを控える上にいつでも使用でき、干す方式も多様であり、衣類に損傷をもたらさない。【選択図】図１
2020175078.tif 000002
【特許請求の範囲】
【請求項１】
主ロッドを含み、前記主ロッドの上端にはロック装置が連結され、前記ロック装置の下側には前記主ロッドに連結される糸引き装置が設置され、前記主ロッドの下端には回転装置が連結され、前記回転装置の左右両側には挟み装置が対称的に連結され、前記回転装置は前記主ロッドにスライドできるように設置されるスライドブロックを含み、前記スライドブロックの中には抜き穴が上下に貫通して設置され、前記主ロッドが前記抜き穴を通り抜け、前記スライドブロックの中には前後に貫通する位置決めチャンバが左右に対称的に設置され、前記位置決めチャンバの中には位置決めブロックがスライドできるように設置され、前記位置決めブロックの中には第一軸穴が前後に貫通して設置され、前記第一軸穴の中には回転軸が回転できるように連結され、前記回転軸の前後両端が前記挟み装置に連結され、前記位置決めブロックのうち中心に近接する一端と、前記位置決めチャンバのうち中心に近接する位置側の内壁との間にはばねが固定的に連結され、前記位置決めチャンバの上側内壁の中には上に開口した位置決めロッドチャンバが連通して設置され、前記位置決めロッドチャンバの中には位置決めロッドがスライドできるように設置され、前記位置決めブロックの中には上に開口した位置決め溝が設けられ、前記位置決めロッドチャンバのうち中心に近接する一側の中には復帰チャンバが連通して設置され、前記復帰チャンバの中には復帰ブロックがスライドできるように設置され、前記復帰ブロックが前記位置決めロッドに固定的に連結され、前記復帰ブロックの上端と前記復帰チャンバの上側内壁との間には復帰ばねが固定的に連結され、前記主ロッドの中の下側には伸縮チャンバが前後に貫通して設置され、前記伸縮チャンバの中には太ロッドがスライドできるように設置され、前記太ロッドの中には細ロッドチャンバが後に開口するように設置され、前記細ロッドチャンバの中には細ロッドがねじ山によって連結され、
前記回転軸によって前記挟み装置を回転連動させて収縮を行い、同時にロックを行うことを特徴とする折畳可能な携帯式ハンガー。
【請求項２】
前記糸引き装置は前記主ロッドに回転できるように連結される回転ブロックを含み、前記回転ブロックの下端は連結軸が固定的に連結され、前記回転ブロックと前記連結軸の中には主ロッドチャンバが上下に貫通して設置され、前記主ロッドが前記主ロッドチャンバを通り抜け、前記連結軸の下端には糸貯蔵ブロックが回転できるように連結され、前記糸貯蔵ブロックの中には糸貯蔵チャンバが設置され、前記連結軸の下端が前記糸貯蔵チャンバの中に挿入され、且つ前記連結軸の下端には大歯車が固定的に連結され、前記大歯車の左右両端には噛み合う小歯車が対称的に設置され、前記小歯車の中には糸巻き柱が固定的に連結され、前記糸巻き柱の円周面の中には糸巻き溝が設置され、前記糸巻き溝の中には糸が固定的に連結され、前記糸貯蔵チャンバの左右両側の内壁の中には反対し合って開口した通し溝が連通し合って設置され、前記糸が前記通し溝を通り抜けて前記挟み装置に連結され、
手動でハンガーの広がった角度を調整でき、収縮する時に張力を提供して便利を与えることを特徴とする請求項１に記載の折畳可能な携帯式ハンガー。
【請求項３】
前記挟み装置は前記スライドブロックの左右両側に対称的に設置される連結リングを含み、前記連結リングの中には反対に開口した横ロッドチャンバが上下に貫通して設置され、前記回転軸の前後両端が前記横向きロッドチャンバの前後内壁に固定的に連結され、前記回転軸には十本の横ロッドが固定的に連結され、両側の前記横ロッドのもう一端がそれぞれ前記横ロッドチャンバのうち中心から離れている側の内壁に固定的に連結され、前記連結リングの中にはリードチャンバが上下に貫通して設置され、前記リードチャンバの前後内壁の間にはリード輪が回転できるように連結され、前記糸には前記リード輪の案内によって挟み板軸が固定的に連結され、前記挟み板軸には内挟み板と外挟み板が回転できるように連結あれ、前記内挟み板と前記外挟み板との中には第二軸穴が前後に貫通して設置され、前記挟み板軸が前記第二軸穴を通り抜け、前記内挟み板と前記外挟み板の中には内挟み板チャンバと糸チャンバとが向かい合って開口して設置され、前記内挟み板が前記内挟み板チャンバの中に挿入され、前記内挟み板の前後両端と前記内挟み板チャンバの前後両側の内壁との間には固定ねじりばねが固定的に連結され、
挟みや掛け下げの方式によって異なった衣類を干せ、同時に収縮の時の前記糸によってピンチを揺れずに固定できることを特徴とする請求項１に記載の折畳可能な携帯式ハンガー。
【請求項４】
前記ロック装置は前記主ロッドの上端に固定的に連結される連結ブロックを含み、前記連結ブロックの中にはロック板チャンバが左右に対称的に設置され、前記ロック板チャンバが反対に開口し、且つ上側壁が外部に連通し、前記ロック板チャンバの中にロック板がスライドできるように設置され、前記ロック板の下端と前記ロック板チャンバの下側内壁との間にはロックばねが固定的に連結され、前記連結ブロックの上端面の中にはフックが回転できるように連結され、
前記ロック板と前記ロックばねによって前記挟み装置が勝手に広がることを防止することを特徴とする請求項１に記載の折畳可能な携帯式ハンガー。
【発明の詳細な説明】
【技術分野】
【０００１】
本発明は生活用品分野に関し、具体的には折畳可能な携帯式ハンガーである。
【背景技術】
【０００２】
普段生活において衣類を干すのによく使われているハンガーは、人々の様々なニーズに応じて異なったサイズで生産されており、中に同時に数件もの衣類を引っ掛けられるハンガーもあるものの、サイズが大きくて占用スペースが大きく、片付けも面倒くさく、そのため、快速に広がれ、折畳可能な携帯式ハンガーをデザインするのは実に必要であり、本発明装置は広がった後に大量な衣類を引っ掛けられ、収縮後により少ない衣類を引っ掛けられ、実際状況に応じて占用スペースを調整できる上にいつでも使用できる。
【先行技術文献】
【特許文献】
【０００３】
【特許文献１】中国特許出願公開第１０８６０６６０３号明細書
【発明の概要】
【発明が解決しようとする課題】
【０００４】
本発明の目的は折畳可能な携帯式ハンガーを提供し、それは上記の現在の技術中の問題を解決できる。
【課題を解決するための手段】
【０００５】
本発明の折畳可能な携帯式ハンガーは、主ロッドを含み、前記主ロッドの上端にはロック装置が連結され、前記ロック装置の下側には前記主ロッドに連結される糸引き装置が設置され、前記主ロッドの下端には回転装置が連結され、前記回転装置の左右両側には挟み装置が対称的に連結され、前記回転装置は前記主ロッドにスライドできるように設置されるスライドブロックを含み、前記スライドブロックの中には抜き穴が上下に貫通して設置され、前記主ロッドが前記抜き穴を通り抜け、前記スライドブロックの中には前後に貫通する位置決めチャンバが左右に対称的に設置され、前記位置決めチャンバの中には位置決めブロックがスライドできるように設置され、前記位置決めブロックの中には第一軸穴が前後に貫通して設置され、前記第一軸穴の中には回転軸が回転できるように連結され、前記回転軸の前後両端が前記挟み装置に連結され、前記位置決めブロックのうち中心に近接する一端と、前記位置決めチャンバのうち中心に近接する位置側の内壁との間にはばねが固定的に連結され、前記位置決めチャンバの上側内壁の中には上に開口した位置決めロッドチャンバが連通して設置され、前記位置決めロッドチャンバの中には位置決めロッドがスライドできるように設置され、前記位置決めブロックの中には上に開口した位置決め溝が設けられ、前記位置決めロッドチャンバのうち中心に近接する一側の中には復帰チャンバが連通して設置され、前記復帰チャンバの中には復帰ブロックがスライドできるように設置され、前記復帰ブロックが前記位置決めロッドに固定的に連結され、前記復帰ブロックの上端と前記復帰チャンバの上側内壁との間には復帰ばねが固定的に連結され、前記主ロッドの中の下側には伸縮チャンバが前後に貫通して設置され、前記伸縮チャンバの中には太ロッドがスライドできるように設置され、前記太ロッドの中には細ロッドチャンバが後に開口するように設置され、前記細ロッドチャンバの中には細ロッドがねじ山によって連結され、
前記回転軸によって前記挟み装置を回転連動させて収縮を行い、同時にロックを行う。
【０００６】
前記糸引き装置は前記主ロッドに回転できるように連結される回転ブロックを含み、前記回転ブロックの下端は連結軸が固定的に連結され、前記回転ブロックと前記連結軸の中には主ロッドチャンバが上下に貫通して設置され、前記主ロッドが前記主ロッドチャンバを通り抜け、前記連結軸の下端には糸貯蔵ブロックが回転できるように連結され、前記糸貯蔵ブロックの中には糸貯蔵チャンバが設置され、前記連結軸の下端が前記糸貯蔵チャンバの中に挿入され、且つ前記連結軸の下端には大歯車が固定的に連結され、前記大歯車の左右両端には噛み合う小歯車が対称的に設置され、前記小歯車の中には糸巻き柱が固定的に連結され、前記糸巻き柱の円周面の中には糸巻き溝が設置され、前記糸巻き溝の中には糸が固定的に連結され、前記糸貯蔵チャンバの左右両側の内壁の中には反対し合って開口した通し溝が連通し合って設置され、前記糸が前記通し溝を通り抜けて前記挟み装置に連結され、
手動でハンガーの広がった角度を調整でき、収縮する時に張力を提供して便利を与える。
【０００７】
前記挟み装置は前記スライドブロックの左右両側に対称的に設置される連結リングを含み、前記連結リングの中には反対に開口した横ロッドチャンバが上下に貫通して設置され、前記回転軸の前後両端が前記横向きロッドチャンバの前後内壁に固定的に連結され、前記回転軸には十本の横ロッドが固定的に連結され、両側の前記横ロッドのもう一端がそれぞれ前記横ロッドチャンバのうち中心から離れている側の内壁に固定的に連結され、前記連結リングの中にはリードチャンバが上下に貫通して設置され、前記リードチャンバの前後内壁の間にはリード輪が回転できるように連結され、前記糸には前記リード輪の案内によって挟み板軸が固定的に連結され、前記挟み板軸には内挟み板と外挟み板が回転できるように連結あれ、前記内挟み板と前記外挟み板との中には第二軸穴が前後に貫通して設置され、前記挟み板軸が前記第二軸穴を通り抜け、前記内挟み板と前記外挟み板の中には内挟み板チャンバと糸チャンバとが向かい合って開口して設置され、前記内挟み板が前記内挟み板チャンバの中に挿入され、前記内挟み板の前後両端と前記内挟み板チャンバの前後両側の内壁との間には固定ねじりばねが固定的に連結され、
挟みや掛け下げの方式によって異なった衣類を干せ、同時に収縮の時の前記糸によってピンチを揺れずに固定できる。
【０００８】
前記ロック装置は前記主ロッドの上端に固定的に連結される連結ブロックを含み、前記連結ブロックの中にはロック板チャンバが左右に対称的に設置され、前記ロック板チャンバが反対に開口し、且つ上側壁が外部に連通し、前記ロック板チャンバの中にロック板がスライドできるように設置され、前記ロック板の下端と前記ロック板チャンバの下側内壁との間にはロックばねが固定的に連結され、前記連結ブロックの上端面の中にはフックが回転できるように連結され、
前記ロック板と前記ロックばねによって前記挟み装置が勝手に広がることを防止する。
【発明の効果】
【０００９】
本発明の有益効果は：本発明は構造が簡単で、操作が便利で、ハンガーを納める時、ピンチを固定してから、連結リングを縦に回して固定し、同時に糸を納めて乱れを防止し、本発明装置は伸びた後に数件もの衣類を干せ、収縮後に少量の衣類を干せ、占用スペースを控える上にいつでも使用でき、干す方式も多様であり、衣類に損傷をもたらさない。
【図面の簡単な説明】
【００１０】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１１】
【図１】図１は本発明の折畳可能な携帯式ハンガーの内部構成略図
【図２】図２は図１のＡの拡大略図
【図３】図３は図１のＢの拡大略図
【図４】図４は図１のＣの拡大略図
【図５】図５は図３のＤ−Ｄの構造略図
【図６】図６は図３のＥ−Ｅの構造略図
【図７】図７は図４のＦ−Ｆの構造略図
【発明を実施するための形態】
【００１２】
以下、図１−７を合わせて本発明を詳しく説明し、便利に叙述するように、現在は後文に出る方位を下記の通りに規定する：後文に出る上下左右前後方向は図１本体の投影関係の上下左右前後方向と一致する。
【００１３】
図１−７を参照し、本発明の折畳可能な携帯式ハンガーは、主ロッド１６を含み、前記主ロッド１６の上端にはロック装置１０３が連結され、前記ロック装置１０３の下側には前記主ロッド１６に連結される糸引き装置１０１が設置され、前記主ロッド１６の下端には回転装置１００が連結され、前記回転装置１００の左右両側には挟み装置１０２が対称的に連結され、前記回転装置１００は前記主ロッド１６にスライドできるように設置されるスライドブロック３０を含み、前記スライドブロック３０の中には抜き穴５６が上下に貫通して設置され、前記主ロッド１６が前記抜き穴５６を通り抜け、前記スライドブロック３０の中には前後に貫通する位置決めチャンバ３１が左右に対称的に設置され、前記位置決めチャンバ３１の中には位置決めブロック３２がスライドできるように設置され、前記位置決めブロック３２の中には第一軸穴４０が前後に貫通して設置され、前記第一軸穴４０の中には回転軸４１が回転できるように連結され、前記回転軸４１の前後両端が前記挟み装置１０２に連結され、前記位置決めブロック３２のうち中心に近接する一端と、前記位置決めチャンバ３１のうち中心に近接する位置側の内壁との間にはばね３６が固定的に連結され、前記位置決めチャンバ３１の上側内壁の中には上に開口した位置決めロッドチャンバ３３が連通して設置され、前記位置決めロッドチャンバ３４の中には位置決めロッド３５がスライドできるように設置され、前記位置決めブロック３２の中には上に開口した位置決め溝３３が設けられ、前記位置決めロッドチャンバ３４のうち中心に近接する一側の中には復帰チャンバ３７が連通して設置され、前記復帰チャンバ３７の中には復帰ブロック３８がスライドできるように設置され、前記復帰ブロック３８が前記位置決めロッド３５に固定的に連結され、前記復帰ブロック３８の上端と前記復帰チャンバ３７の上側内壁との間には復帰ばね３９が固定的に連結され、前記主ロッド１６の中の下側には伸縮チャンバ５０が前後に貫通して設置され、前記伸縮チャンバ５０の中には太ロッド４２がスライドできるように設置され、前記太ロッド４２の中には細ロッドチャンバ５１が後に開口するように設置され、前記細ロッドチャンバ５１の中には細ロッド５２がねじ山によって連結され、
前記回転軸４１によって前記挟み装置１０２を回転連動させて収縮を行い、同時にロックを行う。
【００１４】
有益的には、前記糸引き装置は前記主ロッド１６に回転できるように連結される回転ブロック１５を含み、前記回転ブロック１５の下端は連結軸２１が固定的に連結され、前記回転ブロック１５と前記連結軸２１の中には主ロッドチャンバ２２が上下に貫通して設置され、前記主ロッド１６が前記主ロッドチャンバ２２を通り抜け、前記連結軸２１の下端には糸貯蔵ブロック２３が回転できるように連結され、前記糸貯蔵ブロック２３の中には糸貯蔵チャンバ２４が設置され、前記連結軸２１の下端が前記糸貯蔵チャンバ２４の中に挿入され、且つ前記連結軸２１の下端には大歯車２５が固定的に連結され、前記大歯車２５の左右両端には噛み合う小歯車２６が対称的に設置され、前記小歯車２６の中には糸巻き柱２７が固定的に連結され、前記糸巻き柱２７の円周面の中には糸巻き溝２８が設置され、前記糸巻き溝２８の中には糸１８が固定的に連結され、前記糸貯蔵チャンバ２４の左右両側の内壁の中には反対し合って開口した通し溝２９が連通し合って設置され、前記糸１８が前記通し溝２９を通り抜けて前記挟み装置１０２に連結され、
手動でハンガーの広がった角度を調整でき、収縮する時に張力を提供して便利を与える。
【００１５】
有益的には、前記挟み装置１０２は前記スライドブロック３０の左右両側に対称的に設置される連結リング４３を含み、前記連結リング４３の中には反対に開口した横ロッドチャンバ２０が上下に貫通して設置され、前記回転軸４１の前後両端が前記横向きロッドチャンバ２０の前後内壁に固定的に連結され、前記回転軸４１には十本の横ロッド１９が固定的に連結され、両側の前記横ロッド１９のもう一端がそれぞれ前記横ロッドチャンバ２０のうち中心から離れている側の内壁に固定的に連結され、前記連結リング４３の中にはリードチャンバ４４が上下に貫通して設置され、前記リードチャンバ４４の前後内壁の間にはリード輪４５が回転できるように連結され、前記糸１８には前記リード輪４５の案内によって挟み板軸４９が固定的に連結され、前記挟み板軸４９には内挟み板４６と外挟み板４７が回転できるように連結あれ、前記内挟み板４６と前記外挟み板４７との中には第二軸穴４８が前後に貫通して設置され、前記挟み板軸４９が前記第二軸穴４８を通り抜け、前記内挟み板４６と前記外挟み板４７の中には内挟み板チャンバ５３と糸チャンバ５４とが向かい合って開口して設置され、前記内挟み板４６が前記内挟み板チャンバ５３の中に挿入され、前記内挟み板４６の前後両端と前記内挟み板チャンバ５３の前後両側の内壁との間には固定ねじりばね５５が固定的に連結され、
挟みや掛け下げの方式によって異なった衣類を干せ、同時に収縮の時の前記糸１８によってピンチを揺れずに固定できる。
【００１６】
有益的には、前記ロック装置１０３は前記主ロッド１６の上端に固定的に連結される連結ブロック１１を含み、前記連結ブロック１１の中にはロック板チャンバ１２が左右に対称的に設置され、前記ロック板チャンバ１２が反対に開口し、且つ上側壁が外部に連通し、前記ロック板チャンバ１２の中にロック板１４がスライドできるように設置され、前記ロック板１４の下端と前記ロック板チャンバ１２の下側内壁との間にはロックばね１３が固定的に連結され、前記連結ブロック１１の上端面の中にはフック１７が回転できるように連結され、
前記ロック板１４と前記ロックばね１３によって前記挟み装置１０２が勝手に広がることを防止する。
【００１７】
使用する時、回転ブロック１５を回し、連結軸２１によって大歯車２５を回転連動させ、更に小歯車２６によって糸巻き柱２７を回転連動させて糸１８を納め、更に挟み板軸４９を上昇連動させ、更に内挟み板４６と外挟み板４７を上昇連動させて連結リング４３の下端に引っ掛からせ、更に内挟み板４６と外挟み板４７の揺れを避けられ、この連結リング４３を引き動かし、更に位置決めブロック３２をスライド連動させ、更に復帰ばね３９の弾力作用によって位置決めロッド３５を下にスライド連動させて位置決め溝３３の中に入って位置決めブロック３２を引掛けらせ、この時回転軸４１がロック板１４の真っ下側に位置し、この時連結リング４３を回して回転軸４１をめぐって回転させ、ロック板１４とロックばね１３によって連結リング４３を引っ掛けて勝手に広がらせなく、同時に回転ブロック１５を回して糸１８を納め、ピンと張った状態にして乱れを防止し、納めた後に細ロッド５２と太ロッド４２によって少量の衣類を干せ、同時に太ロッド４２を回転でき、更に細ロッド５２を納められる。
【００１８】
本発明の有益効果は：本発明は構造が簡単で、操作が便利で、ハンガーを納める時、ピンチを固定してから、連結リングを縦に回して固定し、同時に糸を納めて乱れを防止し、本発明装置は伸びた後に数件もの衣類を干せ、収縮後に少量の衣類を干せ、占用スペースを控える上にいつでも使用でき、干す方式も多様であり、衣類に損傷をもたらさない。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175078.tif 000003
【図２】
2020175078.tif 000004
【図３】
2020175078.tif 000005
【図４】
2020175078.tif 000006
【図５】
2020175078.tif 000007
【図６】
2020175078.tif 000008
【図７】
2020175078.tif 000009
【手続補正書】
【提出日】令和1年8月21日(2019.8.21)
【手続補正１】
【補正対象書類名】特許請求の範囲
【補正対象項目名】全文
【補正方法】変更
【補正の内容】
【特許請求の範囲】
【請求項１】
主ロッドを含み、前記主ロッドの上端にはロック装置が連結され、前記ロック装置の下側には前記主ロッドに連結される糸引き装置が設置され、前記主ロッドの下端には回転装置が連結され、前記回転装置の左右両側には挟み装置が対称的に連結され、前記回転装置は前記主ロッドにスライドできるように設置されるスライドブロックを含み、前記スライドブロックの中には抜き穴が上下に貫通して設置され、前記主ロッドが前記抜き穴を通り抜け、前記スライドブロックの中には前後に貫通する位置決めチャンバが左右に対称的に設置され、前記位置決めチャンバの中には位置決めブロックがスライドできるように設置され、前記位置決めブロックの中には第一軸穴が前後に貫通して設置され、前記第一軸穴の中には回転軸が回転できるように連結され、前記回転軸の前後両端が前記挟み装置に連結され、前記位置決めブロックのうち中心に近接する一端と、前記位置決めチャンバのうち中心に近接する位置側の内壁との間にはばねが固定的に連結され、前記位置決めチャンバの上側内壁の中には上に開口した位置決めロッドチャンバが連通して設置され、前記位置決めロッドチャンバの中には位置決めロッドがスライドできるように設置され、前記位置決めブロックの中には上に開口した位置決め溝が設けられ、前記位置決めロッドチャンバのうち中心に近接する一側の中には復帰チャンバが連通して設置され、前記復帰チャンバの中には復帰ブロックがスライドできるように設置され、前記復帰ブロックが前記位置決めロッドに固定的に連結され、前記復帰ブロックの上端と前記復帰チャンバの上側内壁との間には復帰ばねが固定的に連結され、前記主ロッドの中の下側には伸縮チャンバが前後に貫通して設置され、前記伸縮チャンバの中には太ロッドがスライドできるように設置され、前記太ロッドの中には細ロッドチャンバが後に開口するように設置され、前記細ロッドチャンバの中には細ロッドがねじ山によって連結され、
前記回転軸によって前記挟み装置を回転連動させて収縮を行い、同時にロックを行うことができ、
前記糸引き装置は前記主ロッドに回転できるように連結される回転ブロックを含み、前記回転ブロックの下端は連結軸が固定的に連結され、前記回転ブロックと前記連結軸の中には主ロッドチャンバが上下に貫通して設置され、前記主ロッドが前記主ロッドチャンバを通り抜け、前記連結軸の下端には糸貯蔵ブロックが回転できるように連結され、前記糸貯蔵ブロックの中には糸貯蔵チャンバが設置され、前記連結軸の下端が前記糸貯蔵チャンバの中に挿入され、且つ前記連結軸の下端には大歯車が固定的に連結され、前記大歯車の左右両端には噛み合う小歯車が対称的に設置され、前記小歯車の中には糸巻き柱が固定的に連結され、前記糸巻き柱の円周面の中には糸巻き溝が設置され、前記糸巻き溝の中には糸が固定的に連結され、前記糸貯蔵チャンバの左右両側の内壁の中には反対し合って開口した通し溝が連通し合って設置され、前記糸が前記通し溝を通り抜けて前記挟み装置に連結され、
手動でハンガーの広がった角度を調整でき、収縮する時に張力を提供して便利を与えることができ、
前記挟み装置は前記スライドブロックの左右両側に対称的に設置される連結リングを含み、前記連結リングの中には反対に開口した横ロッドチャンバが上下に貫通して設置され、前記回転軸の前後両端が前記横向きロッドチャンバの前後内壁に固定的に連結され、前記回転軸には十本の横ロッドが固定的に連結され、両側の前記横ロッドのもう一端がそれぞれ前記横ロッドチャンバのうち中心から離れている側の内壁に固定的に連結され、前記連結リングの中にはリードチャンバが上下に貫通して設置され、前記リードチャンバの前後内壁の間にはリード輪が回転できるように連結され、前記糸には前記リード輪の案内によって挟み板軸が固定的に連結され、前記挟み板軸には内挟み板と外挟み板が回転できるように連結あれ、前記内挟み板と前記外挟み板との中には第二軸穴が前後に貫通して設置され、前記挟み板軸が前記第二軸穴を通り抜け、前記内挟み板と前記外挟み板の中には内挟み板チャンバと糸チャンバとが向かい合って開口して設置され、前記内挟み板が前記内挟み板チャンバの中に挿入され、前記内挟み板の前後両端と前記内挟み板チャンバの前後両側の内壁との間には固定ねじりばねが固定的に連結され、
挟みや掛け下げの方式によって異なった衣類を干せ、同時に収縮の時の前記糸によってピンチを揺れずに固定でき、
前記ロック装置は前記主ロッドの上端に固定的に連結される連結ブロックを含み、前記連結ブロックの中にはロック板チャンバが左右に対称的に設置され、前記ロック板チャンバが反対に開口し、且つ上側壁が外部に連通し、前記ロック板チャンバの中にロック板がスライドできるように設置され、前記ロック板の下端と前記ロック板チャンバの下側内壁との間にはロックばねが固定的に連結され、前記連結ブロックの上端面の中にはフックが回転できるように連結され、
前記ロック板と前記ロックばねによって前記挟み装置が勝手に広がることを防止することを特徴とする収納可能な携帯式ハンガー。
【手続補正２】
【補正対象書類名】明細書
【補正対象項目名】全文
【補正方法】変更
【補正の内容】
【発明の詳細な説明】
【技術分野】
【０００１】
本発明は生活用品分野に関し、具体的には収納可能な携帯式ハンガーである。
【背景技術】
【０００２】
普段生活において衣類を干すのによく使われているハンガーは、人々の様々なニーズに応じて異なったサイズで生産されており、中に同時に数件もの衣類を引っ掛けられるハンガーもあるものの、サイズが大きくて占用スペースが大きく、片付けも面倒くさく、そのため、快速に広がれ、収納可能な携帯式ハンガーをデザインするのは実に必要であり、本発明装置は広がった後に大量な衣類を引っ掛けられ、収縮後により少ない衣類を引っ掛けられ、実際状況に応じて占用スペースを調整できる上にいつでも使用できる。
【先行技術文献】
【特許文献】
【０００３】
【特許文献１】中国特許出願公開第１０８６０６６０３号明細書
【発明の概要】
【発明が解決しようとする課題】
【０００４】
本発明の目的は収納可能な携帯式ハンガーを提供し、それは上記の現在の技術中の問題を解決できる。
【課題を解決するための手段】
【０００５】
本発明の収納可能な携帯式ハンガーは、主ロッドを含み、前記主ロッドの上端にはロック装置が連結され、前記ロック装置の下側には前記主ロッドに連結される糸引き装置が設置され、前記主ロッドの下端には回転装置が連結され、前記回転装置の左右両側には挟み装置が対称的に連結され、前記回転装置は前記主ロッドにスライドできるように設置されるスライドブロックを含み、前記スライドブロックの中には抜き穴が上下に貫通して設置され、前記主ロッドが前記抜き穴を通り抜け、前記スライドブロックの中には前後に貫通する位置決めチャンバが左右に対称的に設置され、前記位置決めチャンバの中には位置決めブロックがスライドできるように設置され、前記位置決めブロックの中には第一軸穴が前後に貫通して設置され、前記第一軸穴の中には回転軸が回転できるように連結され、前記回転軸の前後両端が前記挟み装置に連結され、前記位置決めブロックのうち中心に近接する一端と、前記位置決めチャンバのうち中心に近接する位置側の内壁との間にはばねが固定的に連結され、前記位置決めチャンバの上側内壁の中には上に開口した位置決めロッドチャンバが連通して設置され、前記位置決めロッドチャンバの中には位置決めロッドがスライドできるように設置され、前記位置決めブロックの中には上に開口した位置決め溝が設けられ、前記位置決めロッドチャンバのうち中心に近接する一側の中には復帰チャンバが連通して設置され、前記復帰チャンバの中には復帰ブロックがスライドできるように設置され、前記復帰ブロックが前記位置決めロッドに固定的に連結され、前記復帰ブロックの上端と前記復帰チャンバの上側内壁との間には復帰ばねが固定的に連結され、前記主ロッドの中の下側には伸縮チャンバが前後に貫通して設置され、前記伸縮チャンバの中には太ロッドがスライドできるように設置され、前記太ロッドの中には細ロッドチャンバが後に開口するように設置され、前記細ロッドチャンバの中には細ロッドがねじ山によって連結され、
前記回転軸によって前記挟み装置を回転連動させて収縮を行い、同時にロックを行う。
【０００６】
前記糸引き装置は前記主ロッドに回転できるように連結される回転ブロックを含み、前記回転ブロックの下端は連結軸が固定的に連結され、前記回転ブロックと前記連結軸の中には主ロッドチャンバが上下に貫通して設置され、前記主ロッドが前記主ロッドチャンバを通り抜け、前記連結軸の下端には糸貯蔵ブロックが回転できるように連結され、前記糸貯蔵ブロックの中には糸貯蔵チャンバが設置され、前記連結軸の下端が前記糸貯蔵チャンバの中に挿入され、且つ前記連結軸の下端には大歯車が固定的に連結され、前記大歯車の左右両端には噛み合う小歯車が対称的に設置され、前記小歯車の中には糸巻き柱が固定的に連結され、前記糸巻き柱の円周面の中には糸巻き溝が設置され、前記糸巻き溝の中には糸が固定的に連結され、前記糸貯蔵チャンバの左右両側の内壁の中には反対し合って開口した通し溝が連通し合って設置され、前記糸が前記通し溝を通り抜けて前記挟み装置に連結され、
手動でハンガーの広がった角度を調整でき、収縮する時に張力を提供して便利を与える。
【０００７】
前記挟み装置は前記スライドブロックの左右両側に対称的に設置される連結リングを含み、前記連結リングの中には反対に開口した横ロッドチャンバが上下に貫通して設置され、前記回転軸の前後両端が前記横向きロッドチャンバの前後内壁に固定的に連結され、前記回転軸には十本の横ロッドが固定的に連結され、両側の前記横ロッドのもう一端がそれぞれ前記横ロッドチャンバのうち中心から離れている側の内壁に固定的に連結され、前記連結リングの中にはリードチャンバが上下に貫通して設置され、前記リードチャンバの前後内壁の間にはリード輪が回転できるように連結され、前記糸には前記リード輪の案内によって挟み板軸が固定的に連結され、前記挟み板軸には内挟み板と外挟み板が回転できるように連結あれ、前記内挟み板と前記外挟み板との中には第二軸穴が前後に貫通して設置され、前記挟み板軸が前記第二軸穴を通り抜け、前記内挟み板と前記外挟み板の中には内挟み板チャンバと糸チャンバとが向かい合って開口して設置され、前記内挟み板が前記内挟み板チャンバの中に挿入され、前記内挟み板の前後両端と前記内挟み板チャンバの前後両側の内壁との間には固定ねじりばねが固定的に連結され、
挟みや掛け下げの方式によって異なった衣類を干せ、同時に収縮の時の前記糸によってピンチを揺れずに固定できる。
【０００８】
前記ロック装置は前記主ロッドの上端に固定的に連結される連結ブロックを含み、前記連結ブロックの中にはロック板チャンバが左右に対称的に設置され、前記ロック板チャンバが反対に開口し、且つ上側壁が外部に連通し、前記ロック板チャンバの中にロック板がスライドできるように設置され、前記ロック板の下端と前記ロック板チャンバの下側内壁との間にはロックばねが固定的に連結され、前記連結ブロックの上端面の中にはフックが回転できるように連結され、
前記ロック板と前記ロックばねによって前記挟み装置が勝手に広がることを防止する。
【発明の効果】
【０００９】
本発明の有益効果は：本発明は構造が簡単で、操作が便利で、ハンガーを納める時、ピンチを固定してから、連結リングを縦に回して固定し、同時に糸を納めて乱れを防止し、本発明装置は伸びた後に数件もの衣類を干せ、収縮後に少量の衣類を干せ、占用スペースを控える上にいつでも使用でき、干す方式も多様であり、衣類に損傷をもたらさない。
【図面の簡単な説明】
【００１０】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１１】
【図１】図１は本発明の収納可能な携帯式ハンガーの内部構成略図
【図２】図２は図１のＡの拡大略図
【図３】図３は図１のＢの拡大略図
【図４】図４は図１のＣの拡大略図
【図５】図５は図３のＤ−Ｄの構造略図
【図６】図６は図３のＥ−Ｅの構造略図
【図７】図７は図４のＦ−Ｆの構造略図
【発明を実施するための形態】
【００１２】
以下、図１−７を合わせて本発明を詳しく説明し、便利に叙述するように、現在は後文に出る方位を下記の通りに規定する：後文に出る上下左右前後方向は図１本体の投影関係の上下左右前後方向と一致する。
【００１３】
図１−７を参照し、本発明の収納可能な携帯式ハンガーは、主ロッド１６を含み、前記主ロッド１６の上端にはロック装置１０３が連結され、前記ロック装置１０３の下側には前記主ロッド１６に連結される糸引き装置１０１が設置され、前記主ロッド１６の下端には回転装置１００が連結され、前記回転装置１００の左右両側には挟み装置１０２が対称的に連結され、前記回転装置１００は前記主ロッド１６にスライドできるように設置されるスライドブロック３０を含み、前記スライドブロック３０の中には抜き穴５６が上下に貫通して設置され、前記主ロッド１６が前記抜き穴５６を通り抜け、前記スライドブロック３０の中には前後に貫通する位置決めチャンバ３１が左右に対称的に設置され、前記位置決めチャンバ３１の中には位置決めブロック３２がスライドできるように設置され、前記位置決めブロック３２の中には第一軸穴４０が前後に貫通して設置され、前記第一軸穴４０の中には回転軸４１が回転できるように連結され、前記回転軸４１の前後両端が前記挟み装置１０２に連結され、前記位置決めブロック３２のうち中心に近接する一端と、前記位置決めチャンバ３１のうち中心に近接する位置側の内壁との間にはばね３６が固定的に連結され、前記位置決めチャンバ３１の上側内壁の中には上に開口した位置決めロッドチャンバ３３が連通して設置され、前記位置決めロッドチャンバ３４の中には位置決めロッド３５がスライドできるように設置され、前記位置決めブロック３２の中には上に開口した位置決め溝３３が設けられ、前記位置決めロッドチャンバ３４のうち中心に近接する一側の中には復帰チャンバ３７が連通して設置され、前記復帰チャンバ３７の中には復帰ブロック３８がスライドできるように設置され、前記復帰ブロック３８が前記位置決めロッド３５に固定的に連結され、前記復帰ブロック３８の上端と前記復帰チャンバ３７の上側内壁との間には復帰ばね３９が固定的に連結され、前記主ロッド１６の中の下側には伸縮チャンバ５０が前後に貫通して設置され、前記伸縮チャンバ５０の中には太ロッド４２がスライドできるように設置され、前記太ロッド４２の中には細ロッドチャンバ５１が後に開口するように設置され、前記細ロッドチャンバ５１の中には細ロッド５２がねじ山によって連結され、
前記回転軸４１によって前記挟み装置１０２を回転連動させて収縮を行い、同時にロックを行う。
【００１４】
有益的には、前記糸引き装置は前記主ロッド１６に回転できるように連結される回転ブロック１５を含み、前記回転ブロック１５の下端は連結軸２１が固定的に連結され、前記回転ブロック１５と前記連結軸２１の中には主ロッドチャンバ２２が上下に貫通して設置され、前記主ロッド１６が前記主ロッドチャンバ２２を通り抜け、前記連結軸２１の下端には糸貯蔵ブロック２３が回転できるように連結され、前記糸貯蔵ブロック２３の中には糸貯蔵チャンバ２４が設置され、前記連結軸２１の下端が前記糸貯蔵チャンバ２４の中に挿入され、且つ前記連結軸２１の下端には大歯車２５が固定的に連結され、前記大歯車２５の左右両端には噛み合う小歯車２６が対称的に設置され、前記小歯車２６の中には糸巻き柱２７が固定的に連結され、前記糸巻き柱２７の円周面の中には糸巻き溝２８が設置され、前記糸巻き溝２８の中には糸１８が固定的に連結され、前記糸貯蔵チャンバ２４の左右両側の内壁の中には反対し合って開口した通し溝２９が連通し合って設置され、前記糸１８が前記通し溝２９を通り抜けて前記挟み装置１０２に連結され、
手動でハンガーの広がった角度を調整でき、収縮する時に張力を提供して便利を与える。
【００１５】
有益的には、前記挟み装置１０２は前記スライドブロック３０の左右両側に対称的に設置される連結リング４３を含み、前記連結リング４３の中には反対に開口した横ロッドチャンバ２０が上下に貫通して設置され、前記回転軸４１の前後両端が前記横向きロッドチャンバ２０の前後内壁に固定的に連結され、前記回転軸４１には十本の横ロッド１９が固定的に連結され、両側の前記横ロッド１９のもう一端がそれぞれ前記横ロッドチャンバ２０のうち中心から離れている側の内壁に固定的に連結され、前記連結リング４３の中にはリードチャンバ４４が上下に貫通して設置され、前記リードチャンバ４４の前後内壁の間にはリード輪４５が回転できるように連結され、前記糸１８には前記リード輪４５の案内によって挟み板軸４９が固定的に連結され、前記挟み板軸４９には内挟み板４６と外挟み板４７が回転できるように連結あれ、前記内挟み板４６と前記外挟み板４７との中には第二軸穴４８が前後に貫通して設置され、前記挟み板軸４９が前記第二軸穴４８を通り抜け、前記内挟み板４６と前記外挟み板４７の中には内挟み板チャンバ５３と糸チャンバ５４とが向かい合って開口して設置され、前記内挟み板４６が前記内挟み板チャンバ５３の中に挿入され、前記内挟み板４６の前後両端と前記内挟み板チャンバ５３の前後両側の内壁との間には固定ねじりばね５５が固定的に連結され、
挟みや掛け下げの方式によって異なった衣類を干せ、同時に収縮の時の前記糸１８によってピンチを揺れずに固定できる。
【００１６】
有益的には、前記ロック装置１０３は前記主ロッド１６の上端に固定的に連結される連結ブロック１１を含み、前記連結ブロック１１の中にはロック板チャンバ１２が左右に対称的に設置され、前記ロック板チャンバ１２が反対に開口し、且つ上側壁が外部に連通し、前記ロック板チャンバ１２の中にロック板１４がスライドできるように設置され、前記ロック板１４の下端と前記ロック板チャンバ１２の下側内壁との間にはロックばね１３が固定的に連結され、前記連結ブロック１１の上端面の中にはフック１７が回転できるように連結され、
前記ロック板１４と前記ロックばね１３によって前記挟み装置１０２が勝手に広がることを防止する。
【００１７】
使用する時、回転ブロック１５を回し、連結軸２１によって大歯車２５を回転連動させ、更に小歯車２６によって糸巻き柱２７を回転連動させて糸１８を納め、更に挟み板軸４９を上昇連動させ、更に内挟み板４６と外挟み板４７を上昇連動させて連結リング４３の下端に引っ掛からせ、更に内挟み板４６と外挟み板４７の揺れを避けられ、この連結リング４３を引き動かし、更に位置決めブロック３２をスライド連動させ、更に復帰ばね３９の弾力作用によって位置決めロッド３５を下にスライド連動させて位置決め溝３３の中に入って位置決めブロック３２を引掛けらせ、この時回転軸４１がロック板１４の真っ下側に位置し、この時連結リング４３を回して回転軸４１をめぐって回転させ、ロック板１４とロックばね１３によって連結リング４３を引っ掛けて勝手に広がらせなく、同時に回転ブロック１５を回して糸１８を納め、ピンと張った状態にして乱れを防止し、納めた後に細ロッド５２と太ロッド４２によって少量の衣類を干せ、同時に太ロッド４２を回転でき、更に細ロッド５２を納められる。
【００１８】
本発明の有益効果は：本発明は構造が簡単で、操作が便利で、ハンガーを納める時、ピンチを固定してから、連結リングを縦に回して固定し、同時に糸を納めて乱れを防止し、本発明装置は伸びた後に数件もの衣類を干せ、収縮後に少量の衣類を干せ、占用スペースを控える上にいつでも使用でき、干す方式も多様であり、衣類に損傷をもたらさない。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正書】
【提出日】令和2年2月12日(2020.2.12)
【手続補正１】
【補正対象書類名】特許請求の範囲
【補正対象項目名】全文
【補正方法】変更
【補正の内容】
【特許請求の範囲】
【請求項１】
主ロッドを含み、前記主ロッドの上端にはロック装置が連結され、前記ロック装置の下側には前記主ロッドに連結される糸引き装置が設置され、前記主ロッドの下端には回転装置が連結され、前記回転装置の左右両側には挟み装置が対称的に連結され、前記回転装置は前記主ロッドにスライドできるように設置されるスライドブロックを含み、前記スライドブロックの中には抜き穴が上下に貫通して設置され、前記主ロッドが前記抜き穴を通り抜け、前記スライドブロックの中には前後に貫通する位置決めチャンバが左右に対称的に設置され、前記位置決めチャンバの中には位置決めブロックがスライドできるように設置され、前記位置決めブロックの中には第一軸穴が前後に貫通して設置され、前記第一軸穴の中には回転軸が回転できるように連結され、前記回転軸の前後両端が前記挟み装置に連結され、前記位置決めブロックのうち中心に近接する一端と、前記位置決めチャンバのうち中心に近接する位置側の内壁との間にはばねが固定的に連結され、前記位置決めチャンバの上側内壁の中には上に開口した位置決めロッドチャンバが連通して設置され、前記位置決めロッドチャンバの中には位置決めロッドがスライドできるように設置され、前記位置決めブロックの中には上に開口した位置決め溝が設けられ、前記位置決めロッドチャンバのうち中心に近接する一側の中には復帰チャンバが連通して設置され、前記復帰チャンバの中には復帰ブロックがスライドできるように設置され、前記復帰ブロックが前記位置決めロッドに固定的に連結され、前記復帰ブロックの上端と前記復帰チャンバの上側内壁との間には復帰ばねが固定的に連結され、前記主ロッドの中の下側には伸縮チャンバが前後に貫通して設置され、前記伸縮チャンバの中には太ロッドがスライドできるように設置され、前記太ロッドの中には細ロッドチャンバが後に開口するように設置され、前記細ロッドチャンバの中には細ロッドがねじ山によって連結され、
前記回転軸によって前記挟み装置を回転連動させて収縮を行い、同時にロックを行うことができ、
連結リングを回して前記連結リングに前記回転軸をめぐって回転させ、ロック板とロックばねによって前記連結リングを引っ掛けて勝手に広がらせなく、また、回転ブロックを回して糸を引き戻して引き締めた状態にし、前記糸の乱れを防止でき、収納後、さらに前記細ロッドと前記太ロッドによって少量の衣類を干すことができ、また、前記太ロッドを回すことで、前記細ロッドを収納でき、
前記糸引き装置は前記主ロッドに回転できるように連結される前記回転ブロックを含み、前記回転ブロックの下端は連結軸が固定的に連結され、前記回転ブロックと前記連結軸の中には主ロッドチャンバが上下に貫通して設置され、前記主ロッドが前記主ロッドチャンバを通り抜け、前記連結軸の下端には糸貯蔵ブロックが回転できるように連結され、前記糸貯蔵ブロックの中には糸貯蔵チャンバが設置され、前記連結軸の下端が前記糸貯蔵チャンバの中に挿入され、且つ前記連結軸の下端には大歯車が固定的に連結され、前記大歯車の左右両端には噛み合う小歯車が対称的に設置され、前記小歯車の中には糸巻き柱が固定的に連結され、前記糸巻き柱の円周面の中には糸巻き溝が設置され、前記糸巻き溝の中には前記糸が固定的に連結され、前記糸貯蔵チャンバの左右両側の内壁の中には反対し合って開口した通し溝が連通し合って設置され、前記糸が前記通し溝を通り抜けて前記挟み装置に連結され、
手動でハンガーの広がった角度を調整でき、収縮する時に張力を提供して便利を与えることができ、
前記挟み装置は前記スライドブロックの左右両側に対称的に設置される前記連結リングを含み、前記連結リングの中には反対に開口した横ロッドチャンバが上下に貫通して設置され、前記回転軸の前後両端が前記横向きロッドチャンバの前後内壁に固定的に連結され、前記回転軸には十本の横ロッドが固定的に連結され、両側の前記横ロッドのもう一端がそれぞれ前記横ロッドチャンバのうち中心から離れている側の内壁に固定的に連結され、前記連結リングの中にはリードチャンバが上下に貫通して設置され、前記リードチャンバの前後内壁の間にはリード輪が回転できるように連結され、前記糸には前記リード輪の案内によって挟み板軸が固定的に連結され、前記挟み板軸には内挟み板と外挟み板が回転できるように連結あれ、前記内挟み板と前記外挟み板との中には第二軸穴が前後に貫通して設置され、前記挟み板軸が前記第二軸穴を通り抜け、前記内挟み板と前記外挟み板の中には内挟み板チャンバと糸チャンバとが向かい合って開口して設置され、前記内挟み板が前記内挟み板チャンバの中に挿入され、前記内挟み板の前後両端と前記内挟み板チャンバの前後両側の内壁との間には固定ねじりばねが固定的に連結され、
挟みや掛け下げの方式によって異なった衣類を干せ、同時に収縮の時の前記糸によってピンチを揺れずに固定でき、
前記ロック装置は前記主ロッドの上端に固定的に連結される連結ブロックを含み、前記連結ブロックの中にはロック板チャンバが左右に対称的に設置され、前記ロック板チャンバが反対に開口し、且つ上側壁が外部に連通し、前記ロック板チャンバの中に前記ロック板がスライドできるように設置され、前記ロック板の下端と前記ロック板チャンバの下側内壁との間には前記ロックばねが固定的に連結され、前記連結ブロックの上端面の中にはフックが回転できるように連結され、
前記ロック板と前記ロックばねによって前記挟み装置が勝手に広がることを防止することを特徴とする収納可能な携帯式ハンガー。